(57)【要約】【課題】    木製の外観を生かしつつ、害虫による食害や腐食に強く、長寿命のカーテンウォールを提供する。【解決手段】    方立１００ｄ、及び無目からなる枠体と、枠体に装着されるパネル１０１とを具備するカーテンウォールにおいて、方立、及び無目は、アルミニウム材で形成された本体部１１１と、本体部の室内側各面を覆う複数の化粧部材１５０、１６０、１７０とで構成し、本体部の室内側の各面には取り付け手段１３０、１３５、１７６を備えるとともに、各化粧部材には固定手段１５２、１５５、１６５、１７２、を備え、化粧部材の固定手段は、本体部の取り付け手段に対して、着脱可能に構成する。【選択図】      図３
2005061110.tif 000002
【特許請求の範囲】
【請求項１】
方立、及び無目からなる枠体と、前記枠体に装着されるパネルとを具備するカーテンウォールにおいて、
前記方立、及び無目は、アルミニウム材で形成された本体部と、前記本体部の室内側各面を覆う複数の化粧部材とで構成されており、
前記本体部の室内側の各面には取り付け手段が備えられるとともに、前記各化粧部材には固定手段が備えられ、
前記化粧部材の前記固定手段は、前記本体部の取り付け手段に対して、着脱可能に構成されていることを特徴とするカーテンウォール。
【発明の詳細な説明】
【技術分野】
【０００１】
本発明は、化粧部材が取り付けられた方立、及び無目を備えたカーテンウォールに関する。
【背景技術】
【０００２】
一般に、カーテンウォールを構成する方立、および無目の材料として、防錆性に優れたアルミニウムが用いられている。しかし、アルミニウム等の金属は熱伝導率が高く、外気温が室内に伝導されやすいため、冬場においてはアルミニウム製の方立、および無目からは、室内側に露出された部分から冷気が直に室内側に放散される。そこで、風雨に晒されることのない室内側の方立、および無目に、低伝熱材である木材の化粧部材を施したカーテンウォールが、近年特に多用されている。この木材の化粧部材は、断熱性に優れるだけでなく、あたたかいイメージを与えることから意匠性にも優れている。
【０００３】
特許文献１には、図９に表すとおり、小角材の集成材である方立４００が示されている。方立４００は、方立の長軸に沿って形成された凹溝内に埋め込まれた連結部材４０１により、押し縁部材４０２と連結されている。連結部材４０１は、主に金属製の内側部４０３と、外側部４０４とで構成されている。特許文献１には、方立４００とともに、さらに方立４００と同様に構成された、木製の無目も開示されている。
【特許文献１】特開２００３−２０７４７号公報
【発明の開示】
【発明が解決しようとする課題】
【０００４】
しかし、方立、および無目全体が木製である場合、シロアリ等の害虫による食害を受けたり、腐食等の原因で木が傷んだりすると、方立、および無目の部材強度が保たれないという問題があった。また、方立、および無目は一つの部材として形成されているため、方立や無目の一部が疵や腐食によって損傷した際には、特殊な技能（匠の世界）による修復作業を必要としたり、方立、もしくは無目全体を取り替えなければならないという問題もあった。
【０００５】
さらに、アルミニウム材で設けられた既存の方立、及び無目がある場合、木製の方立、及び無目に改装するには既存の方立、及び無目を撤去しなければならず、手間や多額の費用がかかるという問題もあった。
【０００６】
そこで本発明は、木製の外観を生かしつつ、害虫による食害や腐食に強く、長寿命のカーテンウォールを提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、方立（１００ａ〜１００ｐ）、及び無目（２００ａ〜２００ｄ）からなる枠体と、枠体に装着されるパネル（１０１、１０２、１０９、１１０、２０４、２０５、２０７）とを具備するカーテンウォール（３００）において、方立、及び無目は、アルミニウム材で形成された本体部（１１１、２７０）と、本体部の室内側各面を覆う複数の化粧部材（１５０、１６０、１７０、２４０、２５０、２６０）とで構成されており、本体部の室内側の各面には取り付け手段（１３０、１３５、１７６、２１１、２１２、２１６）が備えられるとともに、各化粧部材には固定手段（１５２、１５５、１６５、１７２、２４２、２４４、２５２）が備えられ、化粧部材の固定手段は、本体部の取り付け手段に対して、着脱可能に構成されていることを特徴とするカーテンウォールを提供して課題を解決する。
【０００９】
請求項１の発明によれば、アルミニウム材からなる本体部を備えることにより、方立の強度部材として強度を確保しつつ、本体部の室内側には断熱性、および意匠性に優れた木製の化粧部材を、後付けで隙間のないよう簡便に装着することが可能となる。また、化粧部材は着脱が容易であり、改装が簡便であるとともに化粧部材交換が構成部材ごとにできる。
【発明の効果】
【００１０】
請求項１の発明によれば、アルミニウム材からなる本体部を備えることにより、方立の強度部材として強度を確保しつつ、本体部の室内側には断熱性、および意匠性に優れた木製の化粧部材を、後付けで隙間のないよう簡便に装着することが可能となる。また、化粧部材は着脱が容易であり、改装が簡便であるとともに化粧部材交換が構成部材ごとにできる。
【００１１】
本発明のこのような作用及び利得は、次に説明する発明を実施するための最良の形態から明らかにされる。
【発明を実施するための最良の形態】
【００１２】
以下本発明を図面に示す実施形態に基づき説明する。
【００１３】
図１は、本発明の方立１００、および無目２００を備えたカーテンウォール３００の正面図である。カーテンウォール３００には、左右方向に間隔をおいて立設された複数の方立１００ａ〜１００ｐと、この方立１００と直交する方向に、方立１００間に架け渡された無目２００ａ〜２００ｄとが縦横に配されている。なお、図１では方立１００がそれぞれ上下方向に略一直線に連続しているようにみえるが、無目２００によって分断されている。また、無目２００もそれぞれ左右に略一直線に連続しているようにみえるが、方立１００によって分断されており、カーテンウォール３００は分断された方立１００、および無目２００で構成されるユニットが組み合わされた集合体として形成されている。
【００１４】
図２は、図１におけるII−II線に沿った矢視断面図である。図２には、方立１００ｄ〜１００ｆの周辺部材が概略的に示されているが、いずれも同じ構造であるため方立１００ｄ、および１００ｅを例にとって説明する。
【００１５】
方立１００ｄには、室外側に単板ガラス１０１、および１０２を備えるため、長手方向に２本の溝１０３ａ、および１０３ｂが設けられた嵌合部材１０５が備えられている。溝１０３ａには、単板ガラス１０１の右端側が、シール１０６ａ、および１０６ｂを介して取り付けられている。また、溝１０３ｂには、単板ガラス１０２の左端側が、シール１０６ｃ、および１０６ｄを介して取り付けられている。単板ガラス１０２は、右端側を方立１００ｅの嵌合部材１０７（嵌合部材１０５と構造は略同一である。）に設けられた溝１０８ａに、シール１０６e、および１０６ｆを介して取り付けられている。図２に示されている単板ガラス１０１、１０９、および１１０は、上記単板ガラス１０２と同様に、隣り合う方立同士に挟持されるように固定される。
【００１６】
嵌合部材１０５と嵌合される方立１００ｄの本体部１１１は、嵌合部材１０５に対して室内側に設けられている。この本体部１１１は断面が略長方形であって、右側面１１２、左側面１１３、室外面１１４、および室内面１１５によって、上下に長い筒形状となっている。本体部１１１の右側面１１２、左側面１１３、室外面１１４、および室内面１１５には、下記に詳しく説明するように木製の化粧部材１１６〜１１８が取り付けられる。また上記のとおり、方立１００ｄの構造は、図２内に示されている方立１００ｅ、および１００ｆにおいても共通であり、さらに上記図１に示した方立１００ａ〜ｃ、およびｇ〜ｐについても共通である。
【００１７】
図３には、図２の点線による四角枠Ａの範囲の拡大図を示す。ガラス１０１、および１０２を固定する嵌合部材１０５は室外面１０５ａと室内面１２０とを備えており、防錆性、および耐腐食性に優れたアルミニウム材が使用されている。嵌合部材１０５の室内面１２０の左端部は、先端部が室内方向に略９０度屈曲され、さらに右方向に略９０度屈曲されて形成された第一嵌合溝１２１となっている。また、室内面１２０の右寄りの位置からは、室内方向にスペース部１２２が形成されている。スペース部１２２右側面１２２ａには、室内面１２０よりわずかに室内側の位置から右方向に、突部１２３が設けられており、室内面１２０の右端部との間に第二嵌合溝１２４が作られている。
【００１８】
第一嵌合溝１２１、及び第二嵌合溝１２４に隙間なく嵌合される被嵌合部１２５、及び１２６を備えた第一連結部材１３０は、嵌合部材１０５に固定されるとともに本体部１１１とも固定される。本体部１１１との固定には、左右の側面１２７ａ、及び１２７ｂの室内側先端部が屈曲されて作られた嵌合部１２８ａ、及び１２８ｂが用いられる。嵌合部１２８ａ、及び１２８ｂには、本体部１１１の室外面１２９に形成された被嵌合部１３１ａ、及び１３１ｂが嵌合される。さらに、本体部１１１との固定には、室外面１２９のほぼ中央から室外方向に、第一連結部材１３０の当接面１３２まで伸張されたスペース部１３３があるため、安定して固定されている。この左右の側面１２７ａ、及び１２７ｂの室内寄りの位置からは、さらに左右方向にそれぞれ突出し、先端部が室内方向に屈曲された係合部１４０ａ、及び１４０ｂが形成されている。
【００１９】
また、本体部１１１の室内面１１５には、第二連結部材１３５がねじ１３９によって固定されている。第二連結部材１３５には、中央部がわずかに室外側に窪んだ固定面１３６が備えられている。また、左右の結合面１３７、及び１３８は、本体部１１１の室内面１１５と空間を隔てる位置にあり、左右端部をそれぞれスペーサー部１３７ｂ、１３７ｃ、及び１３８ｂ、１３８ｃによって支えられている。この固定面１３６、及び結合面１３７、１３８には、いずれもほぼ中央に孔１３６ａ、１３７ａ、及び１３８ａが形成されている。孔１３６ａに室内方向からねじ１３９が螺入されることにより、第二連結部材１３５が本体部１１１に固定される。
【００２０】
本発明の最大の特徴である、上記の方立１００ｄの本体部１１１に化粧部材１５０、１６０、及び１７０が取り付けられた構造を、以下に図３、及び図４を参照しつつ詳述する。また、無目２００ａ〜２００ｄにも化粧部材が装着されるが、無目２００ａ〜２００ｄの化粧部材については下記の図５、及び図６を説明する際に詳述する。
【００２１】
本体部１１１の左側面１１３に装着される木製の化粧部材１５０には、右側面１５１の室外寄りの位置に、アルミニウム材でできた第一結合部材１５２が取り付けられている。第一結合部材１５２には孔１５２ａが形成されており、ねじ１４１が右方向から差し入れられて第一結合部材１５２とともに木部１５３がねじ留めされる。また、第一結合部材１５２の室内側先端部は右方向にわずかに伸ばされ、さらに室外方向に屈曲された第一結合部１５４が形成されている。第一結合部１５４は、上記第一連結部材１３０の係合部１４０ａと係合することによって結合される。
【００２２】
図３内の、一点鎖線による四角枠Ｂで囲んだ範囲の方立１００ｄの室内側周辺部の説明は、その拡大図を図４に示し、図４を参照しつつ説明する。
【００２３】
図４に示すように、右側面１５１の室内寄りの位置には、アルミニウム材でできた第二結合部材１５５が取り付けられている。第二結合部材１５５には孔１５５ａが形成されており、ねじ１４２が右方向から差し入れられて第二結合部材１５５とともに木部１５３がねじ留めされる。また、第二結合部材１５５の室内側先端部は右方向に伸ばされており、第一室内面１５５ｂが形成されている。第一室内面１５５ｂの先端部付近からは、室内方向に、先端部が返し状となった第二結合部１５６が延設されている。さらに第一室内面１５５ｂの右端部は、所定の角度で室外右方向に屈曲され、その位置から右方向に伸ばされた第二室内面１５７が形成されている。第二室内面１５７には孔１５７ａが形成されており、上記第二連結部材１３５の結合面１３７の孔１３７ａと重ねられた位置でねじ１４３によって固定される。また、第二室内面１５７の右端部は、所定の角度で室内右方向に屈曲されており、スペーサー部１３７ｃと係合されている。このように、第二連結部材１３５と、第二結合部材１５５とは堅固に固定されている。なお、第二結合部１５６については下記に説明する。
【００２４】
また、本体部１１１の右側面１１２、および結合面１３８に装着される木製の化粧部材１６０は、上記の化粧部材１５０を本体部１１１の左側面１１３、及び結合面１３７へ装着する方法と同様に行われるため説明を省略する。
【００２５】
一方、室内側に取り付けられる化粧部材１７０は、上記化粧部材１５０、及び１６０が取り付けられた後に取り付けられる。化粧部材１７０の室外面１７１には、第三結合部材１７２が中央部に取り付けられている。第三結合部材１７２の左右には、孔１７２ａ、１７２ｂが形成されており、室外方向からねじ１４４、及び１４５が差込まれることによって、木部１７５とねじ留めされる。第三結合部材１７２の左右端部は室外方向伸張され、先端部には鉤部１７３ａ、及び１７３ｂが形成されている。鉤部１７３ａ、及び１７３ｂは、上記の第二結合部材１５５に形成された第二結合部１５６と、化粧部材１６０に取り付けられた第二結合部材１６５の第二結合部１６６とに嵌合されることで固定される。さらに、第三結合部材１７２の中央部には引き掛け部１７４が形成されており、ゴム材１７６が挟持されている。ゴム材１７６は、化粧部材１７０が第二結合部材１５５、及び１５６に嵌合された際、第二連結部材１３５のスペーサー部１３７ｃ、及び１３８ｂに突き当てられ、ガタツキを防止するよう設けられている。
【００２６】
化粧部材１５０、１６０、及び１７０は、方立１００ｄの強度部材である本体部１１１に、簡便に固定される。本体部１１１はアルミニウム材で形成されているため、木製の化粧部材１５０、１６０、及び１７０がシロアリ等の害虫による食害を受ける等の原因で損傷しても、方立１００ｄの強度が保たれるよう構成されている。
【００２７】
図５は図１におけるＶ−Ｖ線に沿った矢視断面図であり、無目２００ａ〜２００ｄの周辺部材が概略的に示されている。図５においては、無目２００ｂ、及び２００ｃを例として説明する。無目２００ｂ、及び無目２００ｃに嵌め入れられる単板ガラス１０２は、無目２００ｂと無目２００ｃとの間にシール２０４ａ、２０４ｂ、２０４ｃ、および２０４ｄを介して室外側に装着されている。同様に、ガラス２０５は無目２００ａ、及び２００ｂの間に装着され、ガラス２０７は、無目２００ｃ、および２００ｄの間に装着される。無目２００ａ、および２００ｄは、躯体１にそれぞれ最上部、および最下部となるように取り付けられているため、下記図６で詳細に説明する無目２００ｂと構造、部品点数は異なるが、構成部材はほぼ同一のものを使用しているため説明を省略する。
【００２８】
図６は、図５の点線による四角枠Ｃの範囲の拡大図を示している。図６では、さらに詳細な部材を示す。また、ガラス１０２、およびシール２０４ａ、および２０４ｂの図示は省略する。
【００２９】
無目２００ｂの本体部２７０には、上側面２１４、下側面２１５、及び上側面２１４と下側面２１５とが連結された室内側面２１０とが設けられており、室内側面２１０の上端部よりわずかに下方の位置から室内側に伸張された、第一嵌合面２１１が備えられている。さらに、室内側面２１０の下端部よりわずかに上方の位置からは、室内側に伸張された第二嵌合面２１２が備えられている。
【００３０】
第一嵌合面２１１は、中央部２３０が上方に窪むように形成されている。中央部２３０の室内側端部からは、室内方向に所定の長さに伸張された後、上方に屈曲されて、さらに先端が返し状とされた嵌合部２３１が形成されている。また、第二嵌合面２１２には、孔２１２ａと、室内側先端部が上方向に屈曲された係合部２１３が形成されている。
【００３１】
本体部２７０には、下側面２１５、室内側面２１０、及び第二嵌合面２１２に沿って、いずれの面にも跨るように、連結部材２１６が取り付けられている。連結部材２１６には、第二嵌合面２１２に対応する第一固定面２１７、及び第一固定面２１７の室内側端部を下方に屈曲して形成された第二固定面２１８が設けられており、それぞれ孔２１７ａ、及び２１８ａが形成されている。また、本体部２７０の下側面２１５に対応する連結部材２１６の係合面２１９の室外側端部からは、下方に屈曲されて、さらに端部を室内方向に屈曲された係合部２２０が形成されている。このように構成された連結部材２１６は、本体部２７０に孔２１７ａと、第二嵌合面２１２の孔２１２ａとがビス２２１で固定されることにより連結される。
【００３２】
一方、本体部２７０から立設されている第二嵌合面２１２（連結部材２１６を介する。）に装着される木製の化粧部材２４０には、上面２４１の室外寄りの位置にアルミニウム材でできた第一結合部材２４２が取り付けられている。第一結合部材２４２には孔２４２ａが形成されており、ねじ２２２が上方向から差し入れられて第一結合部材２４２とともに木部２４３がねじ留めされる。この木部２４３には、室内側部が上方向に凸状に形成された係合部２４５が備えられている。第一結合部材２４２の室外側先端部２４６はテーパー状となっており、連結部材２１６の係合部２２０に係合される。また、上面２４１の中央部付近には、アルミニウム材でできた第二結合部材２４４が取り付けられている。第二結合部材２４４には孔２４４ａと、孔２４４ａの室外側上方向の位置に孔２４４ｂとが形成されている。孔２４４ａには、ねじ２２３が上方向から差し入れられて、第二結合部材２４４とともに木部２４３がねじ留めされる。孔２４４ｂには、連結部材２１６のねじ孔２１８ａと重なる位置においてねじ２２４が室内方向から差し入れられて、連結部材２１６とねじ留めされる。
【００３３】
また、第一嵌合面２１１に装着される木製の化粧部材２５０には、上面２５１の室外側２／３に、アルミニウム材でできた第三結合部材２５２の第一固定面２５５が取り付けられている。第三結合部材２５２には孔２５２ａ、及び２５２ｂが形成されており、ねじ２２５、及び２２６が下方向から差し入れられて、第三結合部材２５２とともに木部２５３がねじ留めされる。この第三結合部材２５２は、室外側端部が本体部２７０の室内側面２１０に当接されており、さらに第一嵌合面２１１の嵌合部２３１と嵌合される返し部２２９が形成されている。第三結合部材２５２の室内側端部からは下方向に屈曲された第二固定面２５６が形成されており、第二固定面２５６には、木製の化粧部材２６０が取り付けられる。第二固定面２５６に形成されたねじ孔２５６ａ、および２５６ｂには、室外方向からねじ２２７、及び２２８が差し入れられて木部２６２の室外面２５１から螺入され、第二固定面２５６と、木部２６２とがねじ留めされる。
【００３４】
さらに、化粧部材２６０の下端部まで伸張された第三結合部材２５２は、室外方向に屈曲されて木部２４３の係合部２４５に当接される。係合部２４５の室外側端部まで伸張された第三結合部材２５２は上方向に屈曲され、所定の長さで室外方向に屈曲され、さらに端部を下方向に屈曲された嵌合部２８７となっている。嵌合部２５８は、第二嵌合面２１２の係合部２１３と嵌合される。
【００３５】
上記のとおり、化粧部材２４０、２５０、及び２６０は、本体部２７０に形成された強度部材の第一嵌合面２１１、および第二嵌合面２１２に簡便に固定される。第一嵌合面２１１、および第二嵌合面２１２はアルミニウム材で形成されているため、木製の化粧部材２４０、２５０、及び２６０がシロアリ等の害虫による食害を受ける等の原因で損傷しても、無目２００ｂの強度が保たれるよう構成されている。
【００３６】
上記方立１００ｄ、及び無目２００ｂにおいてそれぞれ説明したとおり、既存のアルミニウム材のカーテンウォールに化粧部材が簡便な方法で取り付けられているため、化粧部材のみを、構成部材ごとに容易に交換、改装することができる。また、室内側からは、化粧部材の固定部が隠されているため、見た目においても優れている。
【００３７】
本実施例では予めアルミニウム材で形成された方立、および無目がある場合を例として説明したが、新たにカーテンウォールを改装、新築する場合にも本発明の形態を用いれば、上記の効果が発揮される。
【００３８】
（変形例）
【００３９】
図７に示す方立４５０は、化粧部材４６０、４７０、および４８０のうち、例えば化粧部材４６０のみがアルミニウム材で形成されている。第三結合部４６１の構造が、上記実施例に示されている木製の化粧部材１７０に取り付けられている第三結合部材１７２と同形状であるため容易に交換ができ、デザインの変化を楽しむことが可能である。同様に、化粧部材４７０、および４８０、また上記無目（図示せず）についても、対応するアルミニウム材からなる化粧部材との交換が可能である。
【００４０】
また、図８には、カーテンウォールの室内側見付部分にデザインを施した方立５００を示す。図８（ａ）には、天井近傍の水平面で切断した方立５００の断面図を示す。化粧部材５１０、５２０、および５３０のうち、例えば室内側面の化粧部材５１０が、室内側に突き出るように形成されている。天井部において左右の化粧部材５２０、および５３０より突き出して設けられている化粧部材５１０は、床方向へむかうにつれて、序々に化粧部材５２０、および５３０と面一となるように構成されている。
【００４１】
図８（ｂ）には方立５００を長手方向に右側面からみた図を示す。上記の通り、化粧部材５１０は床方向に向かって突出が短くなり、下部では化粧部材５３０と面一となるよう形成されている。このように化粧部材の形状変化等を楽しむデザインにすることも可能である。図８では方立５００を例として説明したが、無目においてもデザインを施すことが可能である。
【００４２】
また、本実施例で示した木製の化粧部材の木部は、いずれの樹種でも加工してもよく、さらに、彫刻を施したり、樹種に応じて香料等を染み込ませて香らせることにより、リラックス効果を高めることも可能である。
【００４３】
また、化粧部材は木材であることを基本とするが、視覚的リラックス効果とともに、シロアリ等による食害を半永久的に防止できる利点において、例えば木目調の樹脂材等であってもよい。
【００４４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うカーテンウォールもまた本発明の技術的範囲に包含されるものとして理解されなければならない。
【図面の簡単な説明】
【００４５】
【図１】カーテンウォールを示す正面図である。
【図２】図１におけるII−II線に沿った断面図である。
【図３】図２における四角枠Ａで囲んだ範囲を示す拡大図である。
【図４】図３における四角枠Ｂで囲んだ範囲を示す拡大図である。
【図５】図１におけるＶ−Ｖ線に沿った断面図である。
【図６】図５における四角枠Ｃで囲んだ範囲を示す拡大図である。
【図７】変形例を示す断面図である。
【図８（ａ）】変形例を示す断面図である。
【図８（ｂ）】図８（ａ）の全体図を示す。
【図９】従来例を示す。
【符号の説明】
【００４６】
１００ａ〜１００ｐ  方立
２００ａ〜２００ｄ  無目
１０１、１０２、１０９、１１０  ガラス（パネル）
２０４、２０５、２０７  ガラス（パネル）
３００  カーテンウォール
１１１  本体部
２７０  本体部
１５０、１６０、１７０  化粧部材
２４０、２５０、２６０  化粧部材
１３０  第一連結部材（取り付け手段）
１３５  第二連結部材（取り付け手段）
１７６  ゴム材（取り付け手段）
１５２  第一結合部材（固定手段）
１５５  第二結合部材（固定手段）
１６５  第二結合部材（固定手段）
１７２  第三結合部材（固定手段）
２１１  第一嵌合面（取り付け手段）
２１２  第二嵌合面（取り付け手段）
２１６  連結部材（取り付け手段）
２４２  第一結合部材（固定手段）
２４４  第二結合部材（固定手段）
２５２  第三結合部材（固定手段）
【図１】
2005061110.tif 000003
【図２】
2005061110.tif 000004
【図３】
2005061110.tif 000005
【図４】
2005061110.tif 000006
【図５】
2005061110.tif 000007
【図６】
2005061110.tif 000008
【図７】
2005061110.tif 000009
【図８（ａ）】
2005061110.tif 000010
【図８（ｂ）】
2005061110.tif 000011
【図９】
2005061110.tif 000012